(57)【要約】【課題】  低コストで多様なデザインが可能な照明装置を提供する。【解決手段】  照明装置が、照明器具（１２、４２、７２、８２、１１２）と、照明器具（１２、４２、７２、８２、１１２）を取り付けるための実質的にＬ型の取付部材（１４、９４、１１４）を有する。取付部材（１４、９４、１１４）が、縦方向部分（１４ａ、９４ａ、１１４ａ）と、その縦方向部分（１４ａ、９４ａ、１１４ａ）の一端に垂直に連結された横方向部分（１４ｂ、９４ｂ、１１４ｂ）からなる。縦方向部分（１４ａ、９４ａ、１１４ａ）が鉛直方向に直立し、横方向部分（１４ｂ、９４ｂ、１１４ｂ）が上側に位置して水平方向に配置される。縦方向部分（１４ａ、９４ａ、１１４ａ）と横方向部分（１４ｂ、９４ｂ、１１４ｂ）の少なくとも一方の任意の位置に照明器具（１２、４２、７２、８２、１１２）が取り付けられる。【選択図】  図１
2006286437.tif 000002
【特許請求の範囲】
【請求項１】
照明器具（１２、４２、７２、８２、１１２）と、照明器具（１２、４２、７２、８２、１１２）を取り付けるための取付部材（１４、９４、１１４）を有する照明装置において、取付部材（１４、９４、１１４）が、縦方向部分（１４ａ、９４ａ、１１４ａ）と、その縦方向部分（１４ａ、９４ａ、１１４ａ）の一端に垂直に連結された横方向部分（１４ｂ、９４ｂ、１１４ｂ）からなり、縦方向部分（１４ａ、９４ａ、１１４ａ）が鉛直方向に配置され、かつ、横方向部分（１４ｂ、９４ｂ、１１４ｂ）が上側に位置して水平方向に配置され、縦方向部分（１４ａ、９４ａ、１１４ａ）と横方向部分（１４ｂ、９４ｂ、１１４ｂ）の少なくとも一方の任意の位置に照明器具（１２、４２、７２、８２、１１２）を取り付ける構成になっていることを特徴とする照明装置。
【請求項２】
取付部材（１４、９４、１１４）の幅（ｗ２）が、照明器具（１２、４２、７２、８２、１１２）の幅（ｗ１）よりも広いことを特徴とする請求項１に記載の照明装置。
【請求項３】
横方向部分（１４ｂ）が、その下側に下側取付面（１４ｅ）を有しており、下側取付面（１４ｅ）の長手方向の長さ（ｌ２）が、照明器具（１２）の全長（ｌ１）の２分の１以上であることを特徴とする請求項１又は２に記載の照明装置。
【請求項４】
取付部材（１４、９４、１１４）が、照明器具（１２、４２、７２、８２、１１２）を取り付けるための平坦な面を有することを特徴とする請求項１〜３のいずれか１項に記載の照明装置。
【請求項５】
取付部材（１４、９４、１１４）が、矩形の横断面を有することを特徴とする請求項１〜４のいずれか１項に記載の照明装置。
【請求項６】
取付部材（１４、９４、１１４）が、パイプで構成されていて、任意の位置に穴を開けられるようになっていて、開けられた穴を通して照明器具（１２、４２、７２、８２、１１２）のための電源コードが引き出し可能に構成されていることを特徴とする請求項１〜５のいずれか１項に記載の照明装置。
【請求項７】
横方向部分（１４ｂ）が、その下側に下側取付面（１４ｅ）を有しており、下側取付面に照明器具（１２）が下向きに取り付けられることを特徴とする請求項１〜６のいずれか１項に記載の照明装置。
【請求項８】
横方向部分（１４ｂ、９４ｂ）が、その上側に上側取付面（１４ｆ、９４ｆ）を有しており、上側取付面（１４ｆ、９４ｆ）に照明器具（１２、７２、８２）が上向きに取り付けられることを特徴とする請求項１〜７のいずれか１項に記載の照明装置。
【請求項９】
縦方向部分（１４ａ、９４ａ、１１４ａ）が、横方向部分（１４ｂ、９４ｂ、１１４ｂ）の延在する側と同じ側に内側取付面（１４ｃ、９４ｃ、１１４ｃ）を有しており、内側取付面（１４ｃ、９４ｃ、１１４ｃ）に照明器具（１２、７２、８２）が内向きに取り付けられることを特徴とする請求項１〜８のいずれか１項に記載の照明装置。
【請求項１０】
縦方向部分（１４ａ、１１４ａ）が、横方向部分の延在する側と反対側に外側取付面（１４ｇ、１１４ｇ）を有しており、外側取付面（１４ｇ、１１４ｇ）に照明器具（４２、１１２）が外向きに取り付けられることを特徴とする請求項１〜９のいずれか１項に記載の照明装置。
【請求項１１】
照明器具（１２、４２、７２、８２、１１２）を取り付けるための取付部材（１４、９４、１１４）であって、縦方向部分（１４ａ、９４ａ、１１４ａ）と、その縦方向部分（１４ａ、９４ａ、１１４ａ）の一端に垂直に連結された横方向部分（１４ｂ、９４ｂ、１１４ｂ）からなり、縦方向部分（１４ａ、９４ａ、１１４ａ）と横方向部分（１４ｂ、９４ｂ、１１４ｂ）の幅（ｗ２）が、ともに照明器具（１２、４２、７２、８２、１１２）の幅（ｗ１）よりも広く構成されている取付部材。
【請求項１２】
横方向部分（１４ｂ）が、その下側に下側取付面（１４ｅ）を有しており、下側取付面（１４ｅ）の長手方向の長さ（ｌ２）が、照明器具（１２）の全長（ｌ１）の２分の１以上であることを特徴とする請求項１１に記載の取付部材。
【請求項１３】
照明器具（１２、４２、７２、８２、１１２）を取り付けるための平坦な面を有することを特徴とする請求項１１又は１２に記載の取付部材。
【請求項１４】
矩形の横断面を有することを特徴とする請求項１１〜１３のいずれか１項に記載の取付部材。
【請求項１５】
パイプで構成されていて、任意の位置に穴を開けられるようになっていて、開けられた穴を通して照明器具（１２、４２、７２、８２、１１２）のための電源コードが引き出し可能に構成されていることを特徴とする請求項１１〜１４のいずれか１項に記載の取付部材。
【発明の詳細な説明】
【技術分野】
【０００１】
本発明は、照明装置に関する。
【背景技術】
【０００２】
従来、屋外に設置される常夜灯等の照明装置は、照明器具（灯具）と、照明器具を取り付けるための取付部材からなり、照明器具は取付部材の所定位置に取り付けられるのが一般的であった。
【０００３】
特許文献１には、外灯が設置されたあとでも設置現場や周囲の環境に合わせて灯具の高さを変更調整可能な外灯照明の構造が示されている。
【０００４】
特許文献２には、照明範囲を調節可能にした街路灯の回動自在の取付装置が示されている。
【特許文献１】特開平１１−２６０１２３号公報
【特許文献２】特開２００５−１９３６６号公報
【発明の開示】
【発明が解決しようとする課題】
【０００５】
しかしながら、従来の照明装置は、照明器具（灯具）の取付位置が予め決められて固定的になっていたため、照明装置の設置場所、照明器具の種類や個数に応じて、多種多様の専用の取付部材を数多く用意する必要があった。
【０００６】
特許文献１に記載されたタイプの外灯照明は、設置現場や周囲の環境に合わせて灯具の高さを変更調整可能であるものの、取付部材の構成が複雑すぎる。
【０００７】
特許文献２に記載されたタイプの街路灯は、照明範囲が調節可能であるものの、複雑な構成の取付装置が必要になる。
【０００８】
本発明は、低コストで多様なデザインが可能な照明装置を提供することを目的としている。
【課題を解決するための手段】
【０００９】
本発明の解決手段を例示すると、以下のとおりである。
【００１０】
（１）照明器具（１２、４２、７２、８２、１１２）と、照明器具（１２、４２、７２、８２、１１２）を取り付けるための取付部材（１４、９４、１１４）を有する照明装置において、取付部材（１４、９４、１１４）が、縦方向部分（１４ａ、９４ａ、１１４ａ）と、その縦方向部分（１４ａ、９４ａ、１１４ａ）の一端に垂直に連結された横方向部分（１４ｂ、９４ｂ、１１４ｂ）からなり、縦方向部分（１４ａ、９４ａ、１１４ａ）が鉛直方向に配置され、かつ、横方向部分（１４ｂ、９４ｂ、１１４ｂ）が上側に位置して水平方向に配置され、縦方向部分（１４ａ、９４ａ、１１４ａ）と横方向部分（１４ｂ、９４ｂ、１１４ｂ）の少なくとも一方の任意の位置に照明器具（１２、４２、７２、８２、１１２）を取り付けることができる構成になっていることを特徴とする照明装置。
【００１１】
（２）取付部材（１４、９４、１１４）の幅（ｗ２）が、照明器具（１２、４２、７２、８２、１１２）の幅（ｗ１）よりも広いことを特徴とする前述の照明装置。
【００１２】
（３）横方向部分（１４ｂ）が、その下側に下側取付面（１４ｅ）を有しており、下側取付面（１４ｅ）の長手方向の長さ（ｌ２）が、照明器具（１２）の全長（ｌ１）の２分の１以上、好ましくは４分の３以上であることを特徴とする前述の照明装置。
【００１３】
（４）取付部材（１４、９４、１１４）が、照明器具（１２、４２、７２、８２、１１２）を取り付けるための平坦な面を有することを特徴とする前述の照明装置。
【００１４】
（５）取付部材（１４、９４、１１４）が、矩形の横断面を有することを特徴とする前述の照明装置。
【００１５】
（６）取付部材（１４、９４、１１４）が、パイプで構成されていて、任意の位置に穴を開けられるようになっていて、開けられた穴を通して照明器具（１２、４２、７２、８２、１１２）のための電源コードが引き出し可能に構成されていることを特徴とする前述の照明装置。
【００１６】
（７）横方向部分（１４ｂ）が、その下側に下側取付面（１４ｅ）を有しており、下側取付面に照明器具（１２）が下向きに取り付けられることを特徴とする前述の照明装置。
【００１７】
（８）横方向部分（１４ｂ、９４ｂ）が、その上側に上側取付面（１４ｆ、９４ｆ）を有しており、上側取付面（１４ｆ、９４ｆ）に照明器具（１２、７２、８２）が上向きに取り付けられることを特徴とする前述の照明装置。
【００１８】
（９）縦方向部分（１４ａ、９４ａ、１１４ａ）が、横方向部分（１４ｂ、９４ｂ、１１４ｂ）の延在する側と同じ側に内側取付面（１４ｃ、９４ｃ、１１４ｃ）を有しており、内側取付面（１４ｃ、９４ｃ、１１４ｃ）に照明器具（１２、７２、８２）が内向きに取り付けられることを特徴とする前述の照明装置。
【００１９】
（１０）縦方向部分（１４ａ、１１４ａ）が、横方向部分の延在する側と反対側に外側取付面（１４ｇ、１１４ｇ）を有しており、外側取付面（１４ｇ、１１４ｇ）に照明器具（４２、１１２）が外向きに取り付けられることを特徴とする前述の照明装置。
【００２０】
（１１）照明器具（１２、４２、７２、８２、１１２）を取り付けるための取付部材（１４、９４、１１４）であって、縦方向部分（１４ａ、９４ａ、１１４ａ）と、その縦方向部分（１４ａ、９４ａ、１１４ａ）の一端に垂直に連結された横方向部分（１４ｂ、９４ｂ、１１４ｂ）からなり、縦方向部分（１４ａ、９４ａ、１１４ａ）と横方向部分（１４ｂ、９４ｂ、１１４ｂ）の幅（ｗ２）が、ともに照明器具（１２、４２、７２、８２、１１２）の幅（ｗ１）よりも広く構成されている取付部材。
【００２１】
（１２）横方向部分（１４ｂ）が、その下側に下側取付面（１４ｅ）を有しており、下側取付面（１４ｅ）の長手方向の長さ（ｌ２）が、照明器具（１２）の全長（ｌ１）の２分の１以上、好ましくは４分の３以上であることを特徴とする前述の取付部材。
【００２２】
（１３）照明器具（１２、４２、７２、８２、１１２）を取り付けるための平坦な面を有することを特徴とする前述の取付部材。
【００２３】
（１４）矩形の横断面を有することを特徴とする前述の取付部材。
【００２４】
（１５）パイプで構成されていて、任意の位置に穴を開けられるようになっていて、開けられた穴を通して照明器具（１２、４２、７２、８２、１１２）のための電源コードが引き出し可能に構成されていることを特徴とする前述の取付部材。
【発明の効果】
【００２５】
本発明によれば、低コストで多様なデザインが可能な照明装置を提供できる。
【００２６】
例えば、１種類の取付部材と１種類又は複数種類の照明器具を任意に組み合わせて多種多様のデザインを実現することができる。また、その１種類の取付部材を適当に切断して寸法を適宜変更して照明装置を構成することが容易にできる。この場合、同じ形状・寸法の共通タイプのものを多量生産しておき、必要に応じて現場で取付部材を切断して種々の寸法に加工することが容易である。このような取付部材は、従来の取付部材等と比較して、汎用性が高く、照明装置のデザインを多様化しやすい。
【００２７】
取付部材の幅が、照明器具の幅よりも広いと、照明器具の側面の一部が取付部材で隠れるので、間接照明のような効果が得られる。
【００２８】
横方向部分が、その下側に下側取付面を有していて、下側取付面の長手方向の長さが、照明器具の全長の４分の３以上であると、照明器具の上部がほぼ隠れるので、間接照明のような効果が得られる。
【００２９】
取付部材が、照明器具を取り付けるための平坦な面を有すると、照明器具を取付部材に安定して取り付けることが容易である。
【００３０】
取付部材が、矩形の横断面を有すると、取付部材の複数の面を照明器具の取り付けに利用できる。
【００３１】
取付部材が、パイプで構成されていて、任意の位置に穴を開けられるようになっていて、開けられた穴を通して照明器具のための電源コードが引き出し可能に構成されていると、電源コードをパイプ内を通した状態で所望の位置に照明器具を取付可能である。
【発明を実施するための最良の形態】
【００３２】
本発明の最良の形態による照明装置は、照明器具と、照明器具を取り付けるための実質的にＬ型の取付部材を有する。取付部材は、縦方向部分と、その縦方向部分の一端に垂直に連結された横方向部分からなる。照明装置を現地に設置したとき、縦方向部分は鉛直方向に直立し、かつ、横方向部分は上側に位置して水平方向に配置される。縦方向部分と横方向部分の少なくとも一方の任意の位置に照明器具が取り付けられる。
【００３３】
本発明の照明装置は、屋外に設置される常夜灯として好適に利用可能であるが、屋内での利用や他の種々の用途にも用いられ得る。
【００３４】
取付部材は、縦方向部分を地中に固定して安定させるのが好ましい。もっとも、取付部材は、任意の固定部材を用いて地表に固定されても良い。
【００３５】
照明器具は、例えば、電球、カバー（グローブ、ダイカスト等）、接続部分（ソケット、アーム等）で構成することができる。
【００３６】
照明器具の取り付けには、ネジやボルトを用いるのが好ましいが、他の任意の取付手段を用いることもできる。
【００３７】
取付部材は、パイプで構成するのが好ましいが、照明器具を取付可能な他の部材を用いることも可能である。
【００３８】
好ましくは、取付部材の幅が、照明器具の幅よりも広い。例えば、取付部材の幅は、縦方向部分と横方向部分の間の面の法線方向に沿った取付部材の長さとすることができる。例えば、照明器具の幅は、照明器具の電球の外径、カバー（グローブ、ダイカスト等）の外径、又は接続部分（ソケット、アーム等）の外径とすることができる。
【００３９】
好ましくは、横方向部分が、その下側に下側取付面を有しており、下側取付面の長手方向の長さが、照明器具の全長の４分の３以上である。例えば、照明器具の全長は、照明器具が取付部材と接触する面から照明器具の先端までの距離とすることができる。
【００４０】
好ましくは、取付部材が、照明器具を取り付けるための平坦な面を有する。もっとも、本発明は、これに限定されず、取付部材が、照明器具を取り付けるための曲面を有する場合を含み得るものである。
【００４１】
好ましくは、取付部材が、矩形の横断面を有する。取付部材としてのパイプが長方形の横断面を有するのが好ましいが、他の多角形の横断面や曲面を一部又は全部に含む横断面を有することもできる。
【００４２】
好ましくは、取付部材が、全長にわたって同一幅のパイプで構成されていて、任意の位置に穴を開けられるようになっていて、開けられた穴を通して照明器具のための電源コードが引き出し可能に構成される。
【００４３】
好ましくは、横方向部分が、その下側に下側取付面を有しており、下側取付面に照明器具が下向きに取り付けられている。なお、下側取付面に複数の照明器具が下向きに取り付けられるように横方向部分を構成することもできる。
【００４４】
好ましくは、横方向部分が、その上側に上側取付面を有しており、上側取付面に照明器具が上向きに取り付けられている。なお、上側取付面に複数の照明器具が上向きに取り付けられるように横方向部分を構成することもできる。
【００４５】
好ましくは、縦方向部分が、横方向部分の延在する側と同じ側に内側取付面を有しており、内側取付面に照明器具が内向きに取り付けられる。内側取付面の横方向部分近傍に照明器具が取り付けられるのが好ましいが、取付は取付部材の地中埋設部分より上の任意の位置とすることができる。
【００４６】
好ましくは、縦方向部分が、横方向部分の延在する側と反対側に外側取付面を有しており、外側取付面に照明器具が外向きに取り付けられる。
【００４７】
本発明の最良の形態による取付部材は、照明器具を取り付けるための実質的にＬ型の取付部材であって、縦方向部分と、その縦方向部分の一端に垂直に連結された横方向部分からなり、縦方向部分と横方向部分の幅が、ともに照明器具の幅よりも広く構成されている。
【実施例】
【００４８】
以下、図面を参照して本発明の実施例を説明する。
【００４９】
図１は、本発明による照明装置の一例を示す概略側面図である。図２は、図１の照明装置の概略正面図である。図３は、図１の照明装置の概略上面図である。図４は、図１の照明装置に取付部材として用いられるパイプの概略側面図である。図５は、図４のパイプの概略正面図である。図６は、図４のパイプの概略上面図である。
【００５０】
照明装置１０は、照明器具１２と、照明器具１２を取り付けるための実質的にＬ型の取付部材１４を有する。
【００５１】
取付部材１４は、矩形の横断面を有する内部が空洞のパイプから形成されている。
【００５２】
取付部材１４は、縦方向部分１４ａと、その縦方向部分１４ａの一端に垂直に連結された横方向部分１４ｂからなる。すなわち、取付部材１４は上部がＬ型に曲げてある。
【００５３】
縦方向部分１４ａは、鉛直方向に直立して配置される。横方向部分１４ｂは、上側に位置して水平方向に配置される。
【００５４】
照明器具１２は、図示省略した電球と、グローブ、ダイカスト等のカバーと、ソケット等の接続部分で構成されている。
【００５５】
取付部材１４の幅ｗ２は、照明器具１２の幅ｗ１よりも広い。寸法の一例を挙げると、照明器具１２の幅ｗ１は９８ｍｍ、取付部材１４の幅ｗ２は約１５０ｍｍである。
【００５６】
横方向部分の下面の長手方向の長さｌ２が、照明器具の全長ｌ１の４分の３以上である。寸法の一例を挙げると、照明器具の全長ｌ１は１８５ｍｍ、横方向部分の下面の長手方向の長さｌ２は１５０ｍｍである。
【００５７】
その他の部分の寸法の一例を挙げると、取付部材１４の高さｈ１は４５０〜３０００ｍｍ、厚さｔは５０ｍｍである。横方向部分１４ｂの上面の長手方向長さｌ３は約２００ｍｍである。
【００５８】
図７は、図１のＡ−Ａ線に沿った概略断面図である。図７において照明器具１２の内部は図示省略されている。
【００５９】
取付部材１４は、任意の位置に穴１４ｄを開けられるようになっている。開けられた穴１４ｄを通して照明器具１２のための電源コード１２ａが引き出し可能に構成されている。
【００６０】
図１〜７に示された例においては、縦方向部分１４ａは、横方向部分１４ｂの延在する側と同じ側に平坦な内側取付面１４ｃを有しており、内側取付面１４ｃに照明器具１２が内向きに取り付けられている。縦方向部分１４ａの下方部分は、地中に埋設固定される。電源コード１２ａの他端は、縦方向部分１４ａ下方に穴を開けて都合の良い方向（矢印ａ又はａ’）から引き込まれる。
【００６１】
照明装置１０を使用する際には、縦方向部分１４ａの内側取付面１４ｃに、電源コード１２ａ（配線）のための穴を開けて、その穴を通して電源コード１２ａを引き出すとともに、照明器具１２をネジ１６を用いて内向きに取り付ける。照明装置１０は、上部が隠れるので間接照明の様な効果が得られるとともに、照明器具１２の種類及び取付位置に応じて、主に下側又は横方向部分１４ｂの延在する側（内側）を照明可能である。
【００６２】
図８〜１０は、本発明による照明装置の別の例を示す。
【００６３】
図８は、本発明による照明装置の別の例を示す概略側面図である。図９は、図８の照明装置の概略正面図である。図１０は、図８の照明装置の概略上面図である。なお、先述の部材や部分と同じ部材や部分には同じ符号を付し、その説明を省略する。
【００６４】
照明装置２０の取付部材１４の横方向部分１４ｂは、その下側に下側取付面１４ｅを有しており、下側取付面１４ｅに照明器具１２が下向きに取り付けられている。
【００６５】
照明装置２０を使用する際には、横方向部分１４ｂの下側取付面１４ｅに、電源コード（図示省略）のための穴を開けて、そこを介して電源コードを引き出すとともに、照明器具１２をネジ（図示省略）を用いて下向きに取り付ける。照明装置２０は、上部が隠れるので間接照明の様な効果が得られるとともに、照明器具１２の種類及び取付位置に応じて、主に下側又は横方向部分１４ｂの延在する側（内側）を照明可能である。
【００６６】
図１１〜１３は、本発明による照明装置の更に別の例を示す。
【００６７】
図１１は、本発明による照明装置の更に別の例を示す概略側面図である。図１２は、図１１の照明装置の概略正面図である。図１３は、図１１の照明装置の概略上面図である。なお、先述の部材や部分と同じ部材や部分には同じ符号を付し、その説明を省略する。
【００６８】
照明装置３０の取付部材１４の横方向部分１４ｂは、その上側に上側取付面１４ｆを有しており、上側取付面１４ｆに照明器具１２が上向きに取り付けられている。
【００６９】
照明装置３０を使用する際には、横方向部分１４ｂの上側取付面１４ｆに、電源コード（図示省略）のための穴を開けて、そこを通して電源コードを引き出すとともに、照明器具１２をネジ（図示省略）を用いて上向きに取り付ける。照明装置３０は、照明器具１２の種類及び取付位置に応じて、主に上側を照明可能である。
【００７０】
図１４〜１６は、本発明による照明装置の更に別の例を示す。
【００７１】
図１４は、本発明による照明装置の更に別の例を示す概略側面図である。図１５は、図１４の照明装置の概略正面図である。図１６は、図１４の照明装置の概略上面図である。なお、先述の部材や部分と同じ部材や部分には同じ符号を付し、その説明を省略する。
【００７２】
照明装置４０の取付部材１４の縦方向部分１４ａは、横方向部分１４ｂの延在する側と反対側に外側取付面１４ｇを有しており、外側取付面１４ｇに照明器具４２が外向きに取り付けられている。照明器具４２は、上述の照明器具１２とは形状が異なる。
【００７３】
照明装置４０を使用する際には、縦方向部分１４ａの外側取付面１４ｇに、電源コード（図示省略）のための穴を開けて、そこを通して電源コードを引き出すとともに、照明器具４２をネジ（図示省略）を用いて外向きに取り付ける。照明装置４０は、照明器具４２の種類及び取付位置に応じて、主に横方向部分１４ｂの延在する側と反対側（外側）を照明可能である。
【００７４】
図１７〜１９は、本発明による照明装置の更に別の例を示す。
【００７５】
図１７は、本発明による照明装置の更に別の例を示す概略側面図である。図１８は、図１７の照明装置の概略正面図である。図１９は、図１７の照明装置の概略上面図である。なお、先述の部材や部分と同じ部材や部分には同じ符号を付し、その説明を省略する。
【００７６】
照明装置５０の取付部材１４の縦方向部分１４ａは、横方向部分１４ｂの延在する側と同じ側に内側取付面１４ｃを有しており、内側取付面１４ｃに照明器具１２が内向きに取り付けられている。さらに、縦方向部分１４ａは、横方向部分１４ｂの延在する側と反対側に外側取付面１４ｇを有しており、外側取付面１４ｇに照明器具４２が外向きに取り付けられている。
【００７７】
照明装置５０を使用する際には、縦方向部分１４ａの外側取付面１４ｇに、電源コード（図示省略）のための穴を開けて、そこを通して電源コードを引き出すとともに、照明器具４２をネジ（図示省略）を用いて外向きに取り付ける。さらに、縦方向部分１４ａの内側取付面１４ｃに、電源コード（図示省略）のための穴を開けて電源コードを引き出すとともに、照明器具１２をネジ（図示省略）を用いて内向きに取り付ける。照明装置５０は、照明器具１２と照明器具４２の種類に応じて複数の多様なデザインの照明器具を用いることができるとともに、取付位置に応じて、主に横方向部分１４ｂの延在する側（内側）とその反対側（外側）の両方を照明可能である。
【００７８】
図２０〜２２は、本発明による照明装置の更に別の例を示す。
【００７９】
図２０は、本発明による照明装置の更に別の例を示す概略側面図である。図２１は、図２０の照明装置の概略正面図である。図２２は、図２０の照明装置の概略上面図である。なお、先述の部材と同じ部材には同じ符号を付し、その説明を省略する。
【００８０】
照明装置６０の取付部材１４の縦方向部分１４ａは、その内側に内側取付面１４ｃを有しており、内側取付面１４ｃに２つの照明器具１２が内向きに上下方向に並べて取り付けられている。
【００８１】
照明装置６０を使用する際には、縦方向部分１４ａの内側取付面１４ｃに、電源コード（図示省略）のための２つの穴を開けて電源コードを引き出すとともに、２つの照明器具１２をネジ（図示省略）を用いて内向きに上下方向に並べて取り付ける。照明装置６０は、２つの照明器具１２の種類に応じて複数の多様なデザインの照明器具を用いることができるとともに、取付位置に応じて、主に下方又は横方向部分１４ｂの延在する側（内側）を１つの照明器具１２で照明する場合と比較してより明るく照明可能である。
【００８２】
図２３は、本発明による照明装置の更に別の例を示す概略側面図である。なお、先述の部材と同じ部材には同じ符号を付し、その説明を省略する。
【００８３】
照明装置７０の取付部材１４の縦方向部分１４ａは、その内側に内側取付面１４ｃを有しており、内側取付面１４ｃに２つの照明器具７２が内向きに上下方向に並べて取り付けられている。照明器具７２は、上述した照明器具とは形状が異なる。
【００８４】
縦方向部分１４ａの下側部分は、基礎７７に固定されて地中７８に埋設されている。
【００８５】
こうして、照明装置７０に種々の形状の照明器具７２を利用可能である。
【００８６】
寸法の一例を挙げると、縦方向部分１４ａの地表に現れている部分の長さｌ４は６００ｍｍ、地中に隠れている部分の長さｌ５は３００ｍｍである。地表面から基礎７７までの深さｄ１は５０ｍｍ、基礎７７の深さｄ２は３００ｍｍ、幅ｗ３は２００ｍｍである。横方向部分１４ｂの下面から照明器具７２の中心軸線までの距離ｌ６は１００ｍｍ、２つの照明器具７２の中心軸線間の距離ｌ７は１５０ｍｍである。
【００８７】
図２４は、本発明による照明装置の更に別の例を示す概略側面図である。なお、前述の部材と同じ部材には同じ符号を付し、その説明を省略する。
【００８８】
照明装置８０の取付部材１４の縦方向部分１４ａは、その内側に内側取付面１４ｃを有しており、内側取付面１４ｃにデッキ型の照明器具８２が内向きに取り付けられている。さらに、横方向部分１４ｂは、その上側に上側取付面１４ｆを有しており、上側取付面１４ｆに照明器具７２が上向きに取り付けられている。
【００８９】
縦方向部分１４ａの下側部分は、基礎７７に固定されて地中７８に埋設されている。
【００９０】
こうして、取付部材８０の所望の位置に異なる種類の照明器具７２、８２を取付可能である。
【００９１】
寸法の一例を挙げると、縦方向部分１４ａの地表に現れている部分の長さｌ８は６００ｍｍ、地中に隠れている部分の長さｌ９は３００ｍｍである。地表面から基礎７７までの深さｄ３は１００ｍｍ、基礎７７の深さｄ４は３００ｍｍ、幅ｗ４は２００ｍｍである。横方向部分１４ｂの下面からデッキ型の照明器具８２の中心軸線までの距離ｌ１０は１２０ｍｍである。
【００９２】
図２５は、本発明による照明装置の更に別の例を示す概略側面図である。
【００９３】
照明装置９０の取付部材９４の横方向部分９４ｂは、その内側に内側取付面９４ｃを有しており、内側取付面９４ｃにデッキ型の照明器具８２が内向きに取り付けられている。取付部材９４の縦方向部分９４ａの長さは、先述の取付部材１４の縦方向部分１４ａに比べて短い。その他、取付部材９４の縦方向部分９４ａと横方向部分９４ｂの構成は、先述の取付部材１４の縦方向部分１４ａと横方向部分１４ｂの構成と同じであるので、説明を省略する。
【００９４】
縦方向部分９４ａの下側部分は、基礎９７に固定されて地中９８に埋設されている。
【００９５】
こうして、短い縦方向部分９４ａを有する照明装置９０を使用して照明器具８２を内向きに取り付けることにより、上部が隠れるので間接照明の様な効果が得られるとともに、主に地表面を照明可能である。
【００９６】
寸法の一例を挙げると、縦方向部分９４ａの地表に現れている部分の長さｌ１１は３００ｍｍ、地中に隠れている部分の長さｌ１２は１８０ｍｍである。基礎９７の深さｄ５は２３０ｍｍ、幅ｗ５は２００ｍｍである。横方向部分１４ｂの下面からデッキ型の照明器具８２の中心軸線までの距離ｌ１３は１００ｍｍである。
【００９７】
図２６は、本発明による照明装置の更に別の例を示す概略側面図である。
【００９８】
照明装置１００の取付部材９４の横方向部分９４ｂは、その上側に上側取付面９４ｆを有しており、上側取付面９４ｆにデッキ型の照明器具８２が上向きに取り付けられている。取付部材９４の縦方向部分９４ａの長さは、先述の取付部材１４の縦方向部分１４ａに比べて短い。その他、取付部材９４の縦方向部分９４ａと横方向部分９４ｂの構成は、先述の取付部材１４の縦方向部分１４ａと横方向部分１４ｂの構成と同じであるので、説明を省略する。
【００９９】
縦方向部分９４ａの下側部分は、基礎１０７に固定されて地中に埋設されている。
【０１００】
こうして、短い縦方向部分９４ａを有する照明装置１００を使用して照明器具８２を上向きに取り付けることにより、主に地表面から上向きに照射可能である。
【０１０１】
寸法の一例を挙げると、縦方向部分９４ａの地表に現れている部分の長さｌ１４は２５０ｍｍ、地中に隠れている部分の長さｌ１５は２３０ｍｍである。
【０１０２】
図２７は、本発明による照明装置の更に別の例を示す概略側面図である。
【０１０３】
照明装置１１０の取付部材１１４の縦方向部分１１４ａは、その内側に内側取付面１１４ｃを有しており、内側取付面１１４ｃにデッキ型の照明器具８２が内向きに取り付けられている。さらに、縦方向部分１１４ａは、その外側に外側取付面１１４ｇを有しており、外側取付面１１４ｇにフランジ型の照明器具１１２が外向きに取り付けられている。取付部材１１４の縦方向部分１１４ａの長さは、先述の取付部材１４の縦方向部分１４ａに比べて長い。その他、取付部材１１４の縦方向部分１１４ａと横方向部分１１４ｂの構成は、先述の取付部材１４の縦方向部分１４ａと横方向部分１４ｂの構成と同じであるので、説明を省略する。
【０１０４】
縦方向部分１１４ａの下側部分は、基礎１１７に固定されて地中１１８に埋設されている。
【０１０５】
こうして、長い縦方向部分１１４ａを有する照明装置１１０を使用して、高所から照射することも可能である。
【０１０６】
寸法の一例を挙げると、縦方向部分１１４ａの地表に現れている部分の長さｌ１６は２０００ｍｍ、地中に隠れている部分の長さｌ１７は５００ｍｍである。地表面から基礎１１７までの深さｄ６は５０ｍｍ、基礎１１７の深さｄ７は５００ｍｍである。横方向部分１１４ｂの下面からデッキ型の照明器具８２の中心軸線までの距離ｌ１８は１２０ｍｍである。縦方向部分１１４ａの上面からフランジ型の照明器具１１２の取り付け部分の中心までの距離ｌ１９は６０ｍｍである。
【０１０７】
本発明は図示された実施例に限定されない。照明器具の形状、個数、配置は任意である。取付部材の形状も図示されたものに限定されない。
【図面の簡単な説明】
【０１０８】
【図１】本発明による照明装置の一例を示す概略側面図である。
【図２】図１の照明装置の概略正面図である。
【図３】図１の照明装置の概略上面図である。
【図４】図１の照明装置に用いられるパイプの概略側面図である。
【図５】図４のパイプの概略正面図である。
【図６】図４のパイプの概略上面図である。
【図７】図１のＡ−Ａ線に沿った概略断面図である。
【図８】本発明による照明装置の別の例を示す概略側面図である。
【図９】図８の照明装置の概略正面図である。
【図１０】図８の照明装置の概略上面図である。
【図１１】本発明による照明装置の更に別の例を示す概略側面図である。
【図１２】図１１の照明装置の概略正面図である。
【図１３】図１１の照明装置の概略上面図である。
【図１４】本発明による照明装置の更に別の例を示す概略側面図である。
【図１５】図１４の照明装置の概略正面図である。
【図１６】図１４の照明装置の概略上面図である。
【図１７】本発明による照明装置の更に別の例を示す概略側面図である。
【図１８】図１７の照明装置の概略正面図である。
【図１９】図１７の照明装置の概略上面図である。
【図２０】本発明による照明装置の更に別の例を示す概略側面図である。
【図２１】図２０の照明装置の概略正面図である。
【図２２】図２０の照明装置の概略上面図である。
【図２３】本発明による照明装置の更に別の例を示す概略側面図である。
【図２４】本発明による照明装置の更に別の例を示す概略側面図である。
【図２５】本発明による照明装置の更に別の例を示す概略側面図である。
【図２６】本発明による照明装置の更に別の例を示す概略側面図である。
【図２７】本発明による照明装置の更に別の例を示す概略側面図である。
【符号の説明】
【０１０９】
１０、２０、３０、４０、５０、６０、７０、８０、９０、１００、１１０  照明装置
１２、４２、７２、８２、１１２  照明器具
１２ａ  電源コード
１４、９４、１１４  取付部材
１４ａ、９４ａ、１１４ａ  縦方向部分
１４ｂ、９４ｂ、１１４ｂ  横方向部分
１４ｃ、９４ｃ、１１４ｃ  内側取付面
１４ｄ  穴
１４ｅ  下側取付面
１４ｆ、９４ｆ  上側取付面
１４ｇ、１１４ｇ  外側取付面
１６  ネジ
７７、９７、１０７、１１７  基礎
７８、９８、１１８  地中
【図１】
2006286437.tif 000003
【図２】
2006286437.tif 000004
【図３】
2006286437.tif 000005
【図４】
2006286437.tif 000006
【図５】
2006286437.tif 000007
【図６】
2006286437.tif 000008
【図７】
2006286437.tif 000009
【図８】
2006286437.tif 000010
【図９】
2006286437.tif 000011
【図１０】
2006286437.tif 000012
【図１１】
2006286437.tif 000013
【図１２】
2006286437.tif 000014
【図１３】
2006286437.tif 000015
【図１４】
2006286437.tif 000016
【図１５】
2006286437.tif 000017
【図１６】
2006286437.tif 000018
【図１７】
2006286437.tif 000019
【図１８】
2006286437.tif 000020
【図１９】
2006286437.tif 000021
【図２０】
2006286437.tif 000022
【図２１】
2006286437.tif 000023
【図２２】
2006286437.tif 000024
【図２３】
2006286437.tif 000025
【図２４】
2006286437.tif 000026
【図２５】
2006286437.tif 000027
【図２６】
2006286437.tif 000028
【図２７】
2006286437.tif 000029
【手続補正書】
【提出日】平成17年10月17日(2005.10.17)
【手続補正１】
【補正対象書類名】特許請求の範囲
【補正対象項目名】全文
【補正方法】変更
【補正の内容】
【特許請求の範囲】
【請求項１】
照明器具（１２、４２、７２、８２、１１２）と、照明器具（１２、４２、７２、８２、１１２）を取り付けるための取付部材（１４、９４、１１４）を有する照明装置において、取付部材（１４、９４、１１４）が、縦方向部分（１４ａ、９４ａ、１１４ａ）と、その縦方向部分（１４ａ、９４ａ、１１４ａ）の一端に垂直に連結された横方向部分（１４ｂ、９４ｂ、１１４ｂ）からなり、縦方向部分（１４ａ、９４ａ、１１４ａ）が鉛直方向に配置され、かつ、横方向部分（１４ｂ、９４ｂ、１１４ｂ）が上側に位置して水平方向に配置され、縦方向部分（１４ａ、９４ａ、１１４ａ）と横方向部分（１４ｂ、９４ｂ、１１４ｂ）の少なくとも一方の任意の位置に照明器具（１２、４２、７２、８２、１１２）を取り付ける構成になっていることを特徴とする照明装置。
【請求項２】
取付部材（１４、９４、１１４）が、パイプで構成されていて、縦方向部分（１４ａ、９４ａ、１１４ａ）と横方向部分（１４ｂ、９４ｂ、１１４ｂ）の両方の任意の位置に穴を開けられるようになっていて、開けられた穴を通して照明器具（１２、４２、７２、８２、１１２）のための電源コードが引き出し可能に構成されていることを特徴とする請求項１に記載の照明装置。
【請求項３】
横方向部分（１４ｂ）が、その下側に下側取付面（１４ｅ）を有しており、下側取付面に照明器具（１２）が下向きに取り付け可能となっており、
横方向部分（１４ｂ、９４ｂ）が、その上側に上側取付面（１４ｆ、９４ｆ）を有しており、上側取付面（１４ｆ、９４ｆ）に照明器具（１２、７２、８２）が上向きに取り付け可能となっており、
縦方向部分（１４ａ、９４ａ、１１４ａ）が、横方向部分（１４ｂ、９４ｂ、１１４ｂ）の延在する側と同じ側に内側取付面（１４ｃ、９４ｃ、１１４ｃ）を有しており、内側取付面（１４ｃ、９４ｃ、１１４ｃ）に照明器具（１２、７２、８２）が内向きに取り付け可能となっており、
縦方向部分（１４ａ、１１４ａ）が、横方向部分の延在する側と反対側に外側取付面（１４ｇ、１１４ｇ）を有しており、外側取付面（１４ｇ、１１４ｇ）に照明器具（４２、１１２）が外向きに取り付け可能となっていることを特徴とする請求項１〜２のいずれか１項に記載の照明装置。